【手続補正書】
【提出日】令和3年7月27日(2021.7.27)
【手続補正１】
【補正対象書類名】特許請求の範囲
【補正対象項目名】全文
【補正方法】変更
【補正の内容】
【特許請求の範囲】
【請求項１】
多相測定装置であって、
動作中に、導体における電圧又は電流の少なくとも１つを感知するセンササブシステムと、
ユーザインターフェースと、
前記センササブシステムに連通可能に連結する制御回路であって、動作中に、
前記ユーザインターフェースを前記多相測定装置のユーザへと指示させて、前記センササブシステムのセンサを多相電気系統の第１導体の近位に位置させ、
前記センササブシステムの前記センサが、前記第１導体の近位に位置しているかどうかを示す前記センササブシステムからの測定データを受信し、
前記センササブシステムを介して、前記第１導体に存在する信号を伴う第１導体の電気的パラメータデータを受信し、前記第１導体の電気的パラメータデータが電圧データ又は電流データのうち少なくとも１つを備え、
前記第１導体の電気的パラメータデータを処理して、前記第１導体における前記信号の周波数を決定し、
前記第１導体における前記信号の前記周波数に少なくとも部分的に基づいて同期データを確立し、
前記ユーザインターフェースを前記ユーザへと指示させて、前記センササブシステムのセンサを前記多相電気系統の第２導体の近位に位置させ、
前記センササブシステムの前記センサが、前記第２導体の近位に位置しているかどうかを示す前記センササブシステムからの測定データを受信し、
前記センササブシステムを介して、前記第２導体に存在する信号を伴う第２導体の電気的パラメータデータを受信し、前記第２導体の電気的パラメータデータが電圧データ又は電流データのうち少なくとも１つを備え、
前記第２導体の電気的パラメータデータを処理して、前記同期データに少なくとも部分的に基づいて、前記第１導体における前記信号のための位相情報に対して前記第２導体における前記信号のための位相情報を決定する、制御回路と、を備える多相測定装置。
【請求項２】
動作中に、前記制御回路が、
前記ユーザインターフェースを前記ユーザへと指示させて、前記センササブシステムのセンサを前記多相電気系統の第３導体の近位に位置させ、
前記センササブシステムの前記センサが、前記第３導体の近位に位置しているかどうかを示す前記センササブシステムからの測定データを受信し、
前記センササブシステムを介して、前記第３導体に存在する信号を伴う第３導体の電気的パラメータデータを受信し、前記第３導体の電気的パラメータデータが電圧データ又は電流データのうち少なくとも１つを備え、また
前記第３導体の電気的パラメータデータを処理して、前記同期データに少なくとも部分的に基づいて、前記第１導体又は前記第２導体のうち少なくとも１つにおける前記信号のための位相情報に対して前記第３導体における前記信号のための位相情報を決定する、請求項１に記載の多相測定装置。
【請求項３】
前記同期データが、前記第１導体における前記信号の周期と等しい継続時間を有する固定された反復時間間隔を含む、請求項１に記載の多相測定装置。
【請求項４】
前記センササブシステムが、少なくとも電流センサ及び電圧センサを備える、請求項１に記載の多相測定装置。
【請求項５】
前記センササブシステムが、非接触電圧センサ又は非接触電流センサのうち少なくとも１つを備える、請求項１に記載の多相測定装置。
【請求項６】
動作中に、前記制御回路が、
前記第１導体の電気的パラメータデータ及び前記第２導体の電気的パラメータデータを処理して、前記多相電気系統の少なくとも１つの付加電気的パラメータを決定する、請求項１に記載の多相測定装置。
【請求項７】
前記少なくとも１つの付加電気的パラメータが、電圧パラメータ、電流パラメータ、電力パラメータ、位相順序パラメータ、電圧位相推移パラメータ、電流位相推移パラメータ、電圧／電流位相推移パラメータ、高調波パラメータ、又は波形パラメータのうち少なくとも１つを含む、請求項６に記載の多相測定装置。
【請求項８】
動作中に、前記制御回路が、
前記ユーザインターフェースに、前記位相情報の表示を前記ユーザインターフェースの表示装置上に提示させる、請求項１に記載の多相測定装置。
【請求項９】
前記位相情報の前記表示が、前記ユーザインターフェースの前記表示装置上に提示された位相図を含む、請求項８に記載の多相測定装置。
【請求項１０】
前記センササブシステムが基準電流を発生させ、また前記測定データが、前記第１導体又は前記第２導体において検出される前記基準電流特性を備える、請求項１に記載の多相測定装置。
【請求項１１】
前記センササブシステムの前記センサが、時限後に、前記第１導体又は前記第２導体の近位に位置していないことを示す測定データの受信に対応して、前記制御回路が前記ユーザインターフェースを前記ユーザへと指示させて、前記多相電気系統の測定を再開させる、請求項１に記載の多相測定装置。
【請求項１２】
動作中、前記制御回路が、前記第１導体の電気的パラメータデータを高速フーリエ変換（ＦＦＴ）を利用して処理し、前記第１導体における前記信号の周波数を決定する、請求項１に記載の多相測定装置。
【請求項１３】
前記制御回路が、前記ユーザインターフェースを前記ユーザへと指示させて、前記センササブシステムの前記センサを前記第１導体の近位に位置させる場合と、前記制御回路が、前記第３導体に存在する前記信号を伴う第３導体の電気的パラメータデータを受信する場合との間の時限が、３０秒未満に制限される、請求項２に記載の多相測定装置。
【請求項１４】
多相測定装置であって、
動作中に、導体における電圧又は電流の少なくとも１つを感知するセンササブシステムと、
ユーザインターフェースと、
前記センササブシステムに連通可能に連結する制御回路であって、動作中に、
前記ユーザインターフェースを前記多相測定装置のユーザへと指示させて、前記センササブシステムのセンサを多相電気系統の第１導体の近位に位置させ、
前記センササブシステムの前記センサが、前記第１導体の近位に位置しているかどうかを示す前記センササブシステムからの測定データを受信し、
前記センササブシステムを介して、前記第１導体に存在する信号を伴う第１導体の電気的パラメータデータを受信し、前記第１導体の電気的パラメータデータが電圧データ又は電流データのうち少なくとも１つを備え、
前記第１導体の電気的パラメータデータを処理して、前記第１導体における前記信号の周波数を決定し、
前記第１導体における前記信号の前記周波数に少なくとも部分的に基づいて同期データを確立し、
前記ユーザインターフェースを前記ユーザへと指示させて、前記センササブシステムのセンサを前記多相電気系統の第２導体の近位に位置させ、
前記センササブシステムの前記センサが、前記第２導体の近位に位置しているかどうかを示す前記センササブシステムからの測定データを受信し、
前記センササブシステムを介して、前記第２導体に存在する信号を伴う第２導体の電気的パラメータデータを受信し、前記第２導体の電気的パラメータデータが電圧データ又は電流データのうち少なくとも１つを備え、また
前記第２導体の電気的パラメータデータを処理して、前記同期データに少なくとも部分的に基づいて、前記第１導体における前記信号のための位相情報に対して前記第２導体における前記信号のための位相情報を決定する、制御回路と、を備え、
前記センササブシステムの前記センサが、時限後に、前記第２導体の近位に位置していないことを示す測定データの受信に対応して、前記制御回路が前記ユーザインターフェースを前記ユーザへと指示させて、前記多相電気系統の測定を再開させる、多相測定装置。
【請求項１５】
多相測定装置を動作させる方法であって、
制御回路により、ユーザインターフェースをユーザへと指示させて、センササブシステムのセンサを多相電気系統の第１導体の近位に位置させ、
前記制御回路により、前記センササブシステムの前記センサが、前記第１導体の近位に位置するかどうかを示す、前記センササブシステムからの測定データを受信し、
前記制御回路により、前記センササブシステムを介して、前記第１導体に存在する信号を伴う第１導体の電気的パラメータデータを受信し、前記第１導体の電気的パラメータデータが電圧データ又は電流データのうち少なくとも１つを含み、
前記制御回路により、前記第１導体の電気的パラメータデータを処理して、前記第１導体における前記信号の周波数を決定し、
前記制御回路により、前記第１導体における前記信号の前記周波数に少なくとも部分的に基づいて同期データを確立し、
前記制御回路により、前記ユーザインターフェースを前記ユーザへと指示させて、前記センササブシステムの前記センサを前記多相電気系統の第２導体の近位に位置させ、
前記制御回路により、前記センササブシステムの前記センサが、前記第２導体の近位に位置するかどうかを示す、前記センササブシステムからの測定データを受信し、
前記制御回路により、前記センササブシステムを介して、前記第２導体に存在する信号を伴う第２導体の電気的パラメータデータを受信し、前記第２導体の電気的パラメータデータが電圧データ又は電流データのうち少なくとも１つを含み、
前記制御回路により、前記第２導体の電気的パラメータデータを処理して、前記同期データに少なくとも部分的に基づいて、前記第１導体における前記信号のための位相情報に対して前記第２導体における前記信号のための位相情報を決定すること、を含む方法。
【請求項１６】
前記制御回路により、前記ユーザインターフェースを前記ユーザへと指示させて、前記センササブシステムのセンサを前記多相電気系統の第３導体の近位に位置させ、
前記制御回路により、前記センササブシステムの前記センサが、前記第３導体の近位に位置するかどうかを示す、前記センササブシステムからの測定データを受信し、
前記制御回路により、前記センササブシステムを介して、前記第３導体に存在する信号を伴う第３導体の電気的パラメータデータを受信し、前記第３導体の電気的パラメータデータが電圧データ又は電流データのうち少なくとも１つを含み、また
前記制御回路により、前記第３導体の電気的パラメータデータを処理して、前記同期データに少なくとも部分的に基づいて、前記第１導体又は前記第２導体のうち少なくとも１つにおける前記信号のための位相情報に対して前記第３導体における前記信号のための位相情報を決定すること、を更に含む、請求項１５に記載の方法。
【請求項１７】
前記制御回路により、前記第１導体の電気的パラメータデータ及び前記第２導体の電気的パラメータデータを処理して、前記多相電気系統の少なくとも１つの付加電気的パラメータを決定することを更に含む、請求項１５に記載の方法。
【請求項１８】
前記制御回路により、前記第１導体の電気的パラメータデータ及び前記第２導体の電気的パラメータデータを処理して、電圧パラメータ、電流パラメータ、電力パラメータ、位相順序パラメータ、電圧位相推移パラメータ、電流位相推移パラメータ、電圧／電流位相推移パラメータ、高調波パラメータ、又は波形パラメータのうち少なくとも１つを決定することを更に含む、請求項１５に記載の方法。
【請求項１９】
前記制御回路により、前記ユーザインターフェースに、前記位相情報の表示を前記ユーザインターフェースの表示装置上に提示させることを更に含む、請求項１５に記載の方法。
【請求項２０】
前記センササブシステムの前記センサが、時限後に、前記第２導体の近位に位置していないことを示す測定データの受信に応答し、前記制御回路により、前記ユーザインターフェースを前記ユーザへと指示させて、前記多相電気系統の測定を再開させることを更に含む、請求項１９に記載の方法。
【請求項２１】
前記第１導体の電気的パラメータデータ及び前記第２導体の電気的パラメータデータを処理することが、高速フーリエ変換（ＦＦＴ）を利用して、前記第１導体の電気的パラメータデータ及び前記第２導体の電気的パラメータデータを処理することを含む、請求項１５に記載の方法。
【手続補正２】
【補正対象書類名】明細書
【補正対象項目名】発明の名称
【補正方法】変更
【補正の内容】
【発明の名称】多相測定装置及び該装置の動作方法